(57)【要約】      （修正有）【課題】折り曲げ使用した際に、表面材が損傷することがなくて見栄え良く使用される表面化粧材を提供する。【解決手段】面状部材３の表面に化粧シート４が貼られて構成される表面化粧材１であり、複数の面状部材５が互いに所定幅の間隔を持つように配置されることで、化粧シート４の裏面側に折り曲げ用溝７が設けられてなる。【選択図】図１
0003216247.tif 000002
【実用新案登録請求の範囲】
【請求項１】
面状部材の表面に化粧シートが貼られて構成される表面化粧材であり、
複数の前記面状部材が互いに所定幅の間隔を持つように配置されることで、前記化粧シートの裏面側に折り曲げ用溝が設けられてなることを特徴とする表面化粧材。
【考案の詳細な説明】
【技術分野】
【０００１】  この考案は、折れ曲がり形状として貼り付け使用する表面化粧材に関する。
【背景技術】
【０００２】  家屋のリフォームに際しては、床、柱、階段の踏板、蹴込み板、窓枠、建具枠等をリフレッシュすることとなるが、その際にはムク材に代えて基材表面に表面化粧材が貼り付けられた造作材が多用される。上記表面化粧材は、例えば、木質成形板等よりなる面状部材の表面に表面材として合成樹脂製等の化粧シートが貼られ、その面状部材にＶカット加工により溝が形成されることで製作され、その溝で折り曲げられて角部を持つ基材に貼り付けられて用いられる。
【考案の概要】
【考案が解決しようとする課題】
【０００３】  上記のようにＶカット加工により溝を形成する場合、加工精度上、どうしても面状部材の一部と化粧シートを面状部材に貼り付ける接着剤層とが溝底部の化粧シートの裏面に残る状態となる。したがって、折り曲げられた際にそれら剛性を持つ面状部材と接着剤層とから化粧シートの折れ曲がり部に力がかかり、これにより、化粧シート表面の化粧層にひび割れが生じて白色のシート基材が露呈して見栄えが悪くなり、また、化粧シート自体がひび割れ破損する問題があった。【０００４】  この考案は上記の事情に鑑みて行ったもので、この考案では、折り曲げ使用した際にも表面材が損傷することがなく、見栄え良く使用される表面化粧材を提供することを目的とする。
【課題を解決するための手段】
【０００５】  この考案では、面状部材の表面に化粧シートが貼られて構成される表面化粧材であり、複数の前記面状部材が互いに所定幅の間隔を持つように配置されることで、前記化粧シートの裏面側に折り曲げ用溝が設けられてなることを特徴とする表面化粧材を提供する。【０００６】  上記構成の表面化粧材は、折り曲げ用溝部分には化粧シートの裏面側に接着剤層、面状部材層が存在しないことで化粧シートが柔軟に折り曲げられて使用され、化粧シート表面の化粧層にひび割れが生じて白色のシート基材が露呈することがないとともに化粧シート自体がひび割れ破損することがなく、安定した品質において見栄え良く使用される。【０００７】  面状部材としては各種材質のものが使用でき、ＭＤＦ（中密度繊維板）等の木質成形板が好適に使用される。化粧シートとしては表面に化粧層が印刷されたオレフィンシート等の各種樹脂シートや化粧紙が使用される。
【考案の効果】
【００１０】  この考案によれば、折り曲げ使用した際にも表面材が損傷することがなくて見栄え良く使用される表面化粧材が得られる。
【図面の簡単な説明】
【００１１】
【図１】  この考案の表面化粧材のこの実施形態の側面構成図
【図２】  この考案の表面化粧材のこの実施形態の折り曲げ使用状態の側面構成図
【図３】  この考案の表面化粧材のこの実施形態の製作工程説明図
【図４】  この考案の表面化粧材のこの実施形態の製作工程説明図
【図５】  この考案の表面化粧材の第２の実施形態の側面構成図
【図６】  この考案の表面化粧材の第２の実施形態の折り曲げ使用状態の側面構成図
【図７】  この考案の表面化粧材の第３の実施形態の側面構成図
【図８】  この考案の表面化粧材の第３の実施形態の折り曲げ使用状態の側面構成図
【図９】  この考案の表面化粧材の第３の実施形態の製作工程説明図
【図１０】  この考案の表面化粧材の第３の実施形態の製作工程説明図
【図１１】  この考案の表面化粧材の第４の実施形態の側面構成図
【考案を実施するための形態】
【００１２】  図１はこの考案の表面化粧材のこの実施形態の側面構成を示し、表面化粧材１は２個のＭＤＦ（面状部材）３の表面を覆うように表面に化粧層が印刷されたオレフィンシート（化粧シート）４が貼り付けられて構成されている。ＭＤＦ３としては７ｍｍ程度の厚さのものが使用され、一方のＭＤＦ３はその両端縁にＲ部５を持ち、他方のＭＤＦ３は外端縁にＲ部５を持つ。それらの内端縁が５ｍｍ程度の間隔をあけて配置されることで、表面化粧材１はオレフィンシート４の裏側に折り曲げ用溝７を持つ構成となっている。
【００１３】  図２は造作材１００における上記表面化粧材１の折り曲げ使用状態を示す。表面化粧材１は折り曲げ用溝７部分が、一方のＭＤＦ３の内端縁のＲ部５にオレフィンシート４の裏面が沿うように折り曲げられて造作材基材２０を覆うように貼り付けられる。その際裏面に接着剤層、ＭＤＦ層が存在しないことでオレフィンシート４は柔軟に折り曲げられ、とくにこの実施形態においては、ＭＤＦ３のＲ部５に沿ってオレフィンシート４が折り曲げられるのでさらに柔軟な折り曲げが可能となって、オレフィンシート４におけるひび割れ等の損傷が確実に回避される。
【００１４】  次に上記表面化粧材１の製作方法を説明する。まず図３に示すように、両端縁にＲ部５を備えるとともに中央に一方壁がＲ部５となった溝部９が形成されたＭＤＦ材（面状部材元板）１０を成形により得る。次に、図４に示すように、そのＭＤＦ材１０の表面全体を覆うようにオレフィンシート４を貼る。次に、溝部９の底部１１を点線位置で切除することで、図１に示す折り曲げ用溝７を持つ表面化粧材１を得る。溝部９の底部１１の切除は、ＭＤＦ材１０面の全体を削ることによって行ってもよい。
【００１５】  上記のようにして、折れ曲がり部分がオレフィンシート４のみからなって折れ曲がりが柔軟に行われる表面化粧材１が得られる。同様の形態の表面化粧材を、２枚のＭＤＦを折り曲げ用溝が形成されるように所定間隔をおいて配置し、それらの上を覆うようにオレフィンシートを貼り付けることでも得られるが、異なる形状のＭＤＦを成形により得る必要があるとともに、それらを精度よく位置合わせしてオレフィンシートを貼り付けるのには非常に手間がかかる。上記製作方法によれば折り曲げ用溝７が所定位置に精度良く設けられた表面化粧材１が容易に得られる。
【００１６】  さらに、上記製作方法によれば、折り曲げ用溝７の底部にＲ部５を設けることが容易に行え、これにより、図２に示すように、造作材１００においてＲ面１２を持つ折れ曲がり形態が容易に得られる。従来において折り曲げ部にそのようなＲ面を形成する場合には、化粧シートの内側に別途樹脂を充填する等して非常に手間がかかった。
【００１７】  図５に示す第２の実施形態の表面化粧材１は、ＭＤＦ３として上記Ｒ部５が面取り部１３となったものを使用しており、図６に示すように、造作材１００において面取り面１５を持つ折れ曲がり形態が得られる。この実施形態の表面化粧材１は使用に際してオレフィンシート４は２か所で折り曲げられるが、ともに柔軟に折り曲げられて損傷が発生しない。また、この表面化粧材１も上記実施形態の製作方法により同様にして寸法精度に優れるものが容易に得られる。
【００１８】  図７に示す第３の実施形態の表面化粧材１は、折り曲げ用溝７を所定幅の間隔をおいて２本備えており、図８に示すように、２か所で折れ曲がる形態に用いられる。この実施形態の表面化粧材１は使用に際してオレフィンシート４は２か所で折り曲げられるが、ともに柔軟に折り曲げられて損傷が発生しない。この表面化粧材１も、図９、図１０に示すように、上記実施形態の製作方法により同様にして寸法精度に優れるものが容易に得られる。
【００１９】  図１１に示す第４の実施形態の表面化粧材１は、ＭＤＦ３として１ｍｍ厚のものを使用した薄形状となっている。このものも上記実施形態のものと同様に製作され、また、同様に折れ曲がりが柔軟に行われる。この表面化粧材１は上記実施形態のそれぞれの表面化粧材１と同様に造作材の制作に用いられるとともに、大形のものを裁断使用することでリフォーム現場において家屋の造作材に直接貼り付けるようにして用いることができる。ＭＤＦ等を一体としない樹脂製化粧シートは柔軟性に優れて容易に折り曲げ使用が可能となるが、全体が柔軟であることで貼り付けが行いにくく、見栄え良く貼り付けることが難しい問題があるが、この表面化粧材１はそれらの問題がなく容易に貼り付け使用される。
【符号の説明】
【００２０】  １  表面化粧材
３  ＭＤＦ（面状部材）
４  オレフィンシート（化粧シート）
７  折り曲げ用溝
９  溝部
１０  ＭＤＦ材（面状部材元板）
１１  底部
【図１】
0003216247.tif 000003
【図２】
0003216247.tif 000004
【図３】
0003216247.tif 000005
【図４】
0003216247.tif 000006
【図５】
0003216247.tif 000007
【図６】
0003216247.tif 000008
【図７】
0003216247.tif 000009
【図８】
0003216247.tif 000010
【図９】
0003216247.tif 000011
【図１０】
0003216247.tif 000012
【図１１】
0003216247.tif 000013